(57)【要約】【課題】圧迫荷重が分散して肌身に伝わり、長時間着用し続けても蒸れや痛みを感じさせず、肌身に着用痕が残らず、皮膚気触れ等の傷害を誘発することなく、長期着用して形崩れを起こさず、軽量スリムで肌身に優しい圧力分散型装身ベルトを得る。【解決手段】破断伸度が６０％以上、伸び率１５％に伸長後の弾性回復率が９０％以上、単繊維繊度が２００ｄｔｅｘ以上、１０％伸長時の応力が０．１ｃＮ／ｄｔｅｘ〜０．８ｃＮ／ｄｔｅｘのモノフィラメント弾性糸を使用して織編され、長さ方向における１０％伸長時の応力（Ｆ）が５０（Ｎ／５ｃｍ）以上であり、６００（Ｎ／５ｃｍ）以下である弾性織編布帛２１によって装身ベルトを構成する。装身ベルトの長さ方向における中間部分を弾性織編布帛２１によって構成し、その前後両端部分は長さ方向における１０％伸長時の応力（Ｆ）が６００（Ｎ／５ｃｍ）以上の耐力帯２２によって構成してもよい。【選択図】図２
2009018018.tif 000002
【特許請求の範囲】
【請求項１】
破断伸度が６０％以上、伸び率１５％に伸長後の弾性回復率が９０％以上、単繊維繊度が２００ｄｔｅｘ以上、１０％伸長時の応力が０．１ｃＮ／ｄｔｅｘ〜０．８ｃＮ／ｄｔｅｘのモノフィラメント弾性糸を使用して織編され、  長さ方向における１０％伸長時の応力（Ｆ）が５０（Ｎ／５ｃｍ）以上であり、６００（Ｎ／５ｃｍ）以下である弾性織編布帛によって構成された身体に当接して使用される装身ベルト。
【請求項２】
長さ方向における１０％伸長時の応力（Ｆ）が５０（Ｎ／５ｃｍ）以上であり、６００（Ｎ／５ｃｍ）以下の弾性織編布帛によって長さ方向における一部が構成され、  その弾性織編布帛に成る部分の総幅が２０ｍｍ以上である前掲請求項１に記載の身体に当接して使用される装身ベルト。
【請求項３】
装身ベルトの長さ方向における中間部分が弾性織編布帛によって構成され、  その中間部分に前後する両端部分が、長さ方向における１０％伸長時の応力（Ｆ）が６００（Ｎ／５ｃｍ）以上の耐力帯によって構成されている前掲請求項２に記載の身体に当接して使用される装身ベルト。
【請求項４】
装身ベルトの長さ方向における中間部分が複数条の分圧弾性織編布帛に分割されている前掲請求項１と２と３の何れかに記載の身体に当接して使用される装身ベルト。
【請求項５】
装身ベルトの両端に把持金具が装着されており、  その一方の把持金具に装身ベルトの挿通する挿通口が設けられており、  その挿通口を装身ベルトが貫通して他方の把持金具へと折り返され、  両端の把持金具と把持金具との間で装身ベルトが二重になっている前掲請求項１と２と３と４の何れかに記載の身体に当接して使用される装身ベルト。
【請求項６】
弾性織編布帛が経編布帛である前掲請求項１と２と３と４と５の何れかに記載の身体に当接して使用される装身ベルト。
【請求項７】
弾性織編布帛が、表糸に成る表布と裏糸に成る裏布を連結糸によって連結して一体的に織編された経編布帛であり、  表布と裏布の何れか一方にモノフィラメント弾性糸が編み込まれている前掲請求項６に記載の身体に当接して使用される装身ベルト。
【請求項８】
コース方向において左右隣合う一方の表糸が、その隣合う左側の表糸と一体になった鎖編目と、その隣合う右側の表糸と一体になった鎖編目を、数コースおきに交互に繰り返し形成しており、  その鎖編目が、ウエール方向にジグザグに続く鎖編目列を形成しており、  ジグザグに続く鎖編目列に囲まれた開口面積１ｍｍ2 以上の開口が表布に形成されており、  モノフィラメント弾性糸が裏布に編み込まれている前掲請求項７に記載の身体に当接して使用される装身ベルト。
【発明の詳細な説明】
【技術分野】
【０００１】
本発明は、衣類の胴回りに装着して使用されるボディベルト、背負い籠、リュックサック、ショルダーバック、ゴルフバック等の箱物や袋物を肩に掛けるために使用されるショルダーベルト、吊りズボンを肩に掛けるズボン吊りベルト、身体を吊り上げて支える介護ベルトや救助ベルト、身体を座席に固定するために使用されるシートベルト等の身体に当接して使用される装身ベルト（以下、単に”装身ベルト”と言う。）に関するものである。
【背景技術】
【０００２】
ボディベルト、ショルダーベルト等の何れの装身ベルトも、その着用状態では、装身ベルトが肌身を圧迫して窮屈感を与え、蒸れや痛みを感じさせ、時として皮膚気触れ等の傷害を誘発する。
【０００３】
装身ベルトから肌身に伝わる圧迫荷重を和らげるために、装身ベルトを金具を介して二重に折り返し、装身ベルトと肌身との接触面積を２倍に増やして圧迫荷重を分散させることは公知である（例えば、特許文献１参照）。
又、一般に圧迫荷重を分散させる手段として、装身ベルトの一部に滑り止め体を兼ねた当て具を装着することも公知である（例えば、特許文献２参照）。
【０００４】
【特許文献１】特開２００７−０６１５６１号公報
【特許文献２】特開２００１−１９７９１７号公報
【発明の開示】
【発明が解決しようとする課題】
【０００５】
装身ベルトを軽量スリムにするうえでは、ポリエステル繊維布帛のように破断強度が強く伸び難く、肌身（骨格）の起伏に沿って変形自由な布製装身ベルトが好適に思われるが、当て具等の付属品は好適とは思われない。
【０００６】
布製装身ベルト２０”は、可撓性に富み、肌身の起伏に沿って変形し、肌身との接触面積が広くなるので、圧迫荷重が分散すると共に、皮革製ベルトに比して通気性に富み、窮屈感や蒸れを感じさせない等の長所も認められる。
【０００７】
しかし、布製装身ベルト２０”は、長期着用していると次第に肌身１０の起伏に沿って塑性変形し、幅が縮まり、圧迫荷重が集中作用し易くなり、形が崩れて不恰好になる等（図４−ａ）、耐久性に欠けると言った短所もある。
【０００８】
耐久性の点では形崩れをしない当て具を装着するとよい訳であるが、形崩れをしない当て具２０’は、肌身の起伏に応じて変形し難く（図４−ｂ）、圧迫荷重（Ｘ、Ｙ）が局部的に肌身１０に集中作用し、肌身１０に着用痕が残り、それが皮膚気触れを誘発する。
【０００９】
そこで本発明は、圧迫荷重が分散して肌身１０に伝わり、長時間着用し続けても蒸れや痛みを感じさせず、肌身に着用痕が残らず、皮膚気触れ等の傷害を誘発することなく、長期着用して形崩れを起こさず、軽量スリムで肌身に優しい圧力分散型装身ベルトを得ることを目的とする。
【課題を解決するための手段】
【００１０】
本発明に係る装身ベルトは、（ａ）  破断伸度が６０％以上、伸び率１５％に伸長後の弾性回復率が９０％以上、単繊維繊度が２００ｄｔｅｘ以上、１０％伸長時の応力が０．１ｃＮ／ｄｔｅｘ〜０．８ｃＮ／ｄｔｅｘのモノフィラメント弾性糸を使用して織編され、（ｂ）  長さ方向における１０％伸長時の応力（Ｆ）が５０（Ｎ／５ｃｍ）以上であり、６００（Ｎ／５ｃｍ）以下である弾性織編布帛２１によって構成されていることを第１の特徴とする。
【００１１】
本発明に係る装身ベルトの第２の特徴は、上記第１の特徴に加えて、（ｂ）  長さ方向における１０％伸長時の応力（Ｆ）が５０（Ｎ／５ｃｍ）以上であり、６００（Ｎ／５ｃｍ）以下の弾性織編布帛２１によって長さ方向における一部が構成され、（ｃ）  その弾性織編布帛２１に成る部分の総幅が２０ｍｍ以上である点にある。
【００１２】
本発明に係る装身ベルトの第３の特徴は、上記第２の特徴に加えて、（ｄ）  装身ベルト２０の長さ方向における中間部分が弾性織編布帛２１によって構成されており、
（ｅ）  その中間部分に前後する両端部分が、長さ方向における１０％伸長時の応力（Ｆ）が６００（Ｎ／５ｃｍ）以上の耐力帯２２によって構成されている点にある。
【００１３】
本発明に係る装身ベルトの第４の特徴は、上記第１、第２および第３の何れかの特徴に加えて、（ｆ）  装身ベルト２０の長さ方向における中間部分が、複数条の分圧弾性織編布帛２１ａ・２１ｂに分割されている点にある。
【００１４】
本発明に係る装身ベルトの第５の特徴は、上記第１、第２、第３および第４の何れかの特徴に加えて、（ｇ）  装身ベルト２０の両端に把持金具２３・２４が装着されており、（ｈ）  その一方の把持金具２３に装身ベルト２０の挿通する挿通口２５が設けられており、（ｉ）  その挿通口２５を装身ベルト２０が貫通して他方の把持金具２４へと折り返され、（ｊ）  両端の把持金具２３と把持金具２４との間で装身ベルト２０が二重になっている点にある。
【００１５】
本発明に係る装身ベルトの第６の特徴は、上記第１、第２、第３、第４および第５の何れかの特徴に加えて、（ｋ）  弾性織編布帛２１が経編布帛である点にある。
【００１６】
本発明に係る装身ベルトの第７の特徴は、上記第６の特徴に加えて、（ｌ）  弾性織編布帛２１が、表糸１１に成る表布１２と裏糸１３に成る裏布１４を連結糸１５によって連結して一体的に織編された経編布帛であり、（ｍ）  表布１２と裏布１４の何れか一方にモノフィラメント弾性糸が編み込まれている点にある。
【００１７】
本発明に係る装身ベルトの第８の特徴は、上記第７の特徴に加えて、（ｎ）  コース方向Ｃにおいて左右隣合う一方の表糸１１ａが、隣合う左側の表糸１１ｂと一体になった鎖編目１８ａと、隣合う右側の表糸１１ｃと一体になった鎖編目１８ｂを、数コースおきに交互に繰り返し形成しており、（ｏ）  その鎖編目１８ａと鎖編目１８ｂが、ウエール方向Ｗにジグザグに続く鎖編目列１９を形成しており、（ｐ）  ジグザグに続く鎖編目列１９に囲まれた開口面積１ｍｍ2 以上の開口１７が表布１２に形成されており、（ｑ）  モノフィラメント弾性糸が裏布１４に編み込まれている点にある。
【発明の効果】
【００１８】
１０％伸長時の応力が０．１ｃＮ／ｄｔｅｘ未満のポリウレタン等の伸縮し易い弾性糸を使用した織編布帛は、靴下の履き口のように僅かな荷重が作用しても大きく伸長し、長さが一定に保たれず、寸法が不安定で装身ベルトには使用し得ない。
その弾性糸の伸縮性を抑えるために非弾性糸を混用すると、その非弾性糸の永久歪に起因して装身ベルト全体が変形して形崩れが起きる。
【００１９】
その点、本発明では、弾性糸の１０％伸長時の応力が０．１ｃＮ／ｄｔｅｘ以上であり、その繊度が太く２００ｄｔｅｘ以上であり、織編布帛の１０％伸長時の応力が５０（Ｎ／５ｃｍ）以上なので、圧迫荷重を受けても大きく伸縮変形することはない。
そして、その織編布帛の１０％伸長時の応力が６００Ｎ／５ｃｍ以下なので、肌身１０の起伏に応じて変形し、肌身との接触面積が広がり、圧迫荷重が均等に分散して肌身１０に伝わる。
【００２０】
装身ベルト２０の長さ方向における一部・中間部分を弾性織編布帛２１によって構成すると（図１−ａ）、伸縮し易い弾性糸を使用しても、装身ベルト全体が大きく伸縮変形し、着用に支障を来すような不具合は生じない。
そのように装身ベルト２０の長さ方向における一部・中間部分が弾性織編布帛２１によって構成されていれば、その弾性織編布帛２１によって耐力帯２２に作用する伸長応力が緩和されるので、耐力帯２２の形崩れも抑えられる。
【００２１】
その中間部分が分割された複数条の分圧弾性織編布帛２１ａ・２１ｂによって構成すると（図１−ｂ）、肌身の起伏に応じて分圧弾性織編布帛２１ａ・２１ｂそれぞれの当接部位を変えて圧迫荷重を広く均等に分散することが出来、弾性織編布帛２１ａ・２１ｂの１０％伸長時の応力が５００（Ｎ／５ｃｍ）を超える場合でも粗硬な感じを与え難い。
【００２２】
装身ベルト２０の両端に装着された把持金具２３・２４の一方の把持金具２３の挿通口２５に装身ベルト２０を通して折り返し、装身ベルト２０を二重にすると（図１−ｃ）、その折り返された２条の装身ベルトの把持金具２３から把持金具２４までの長さを、その圧着する肌身の起伏に応じて自由に変えることが出来（図２）、それらの分圧弾性織編布帛２１ａ・２１ｂから肌身に作用する圧迫荷重を均等にすることが出来る。
【００２３】
弾性織編布帛を経編布帛とすると、その編目構造からしても弾性織編布帛が伸縮し易く、弾性糸の単繊維繊度を１０００ｄｔｅｘ以上とする場合でも、装身ベルト２０を肌身に馴染み易くすることが出来る。
【００２４】
弾性織編布帛２１を表糸１１に成る表布１２と裏糸１３に成る裏布１４を連結糸１５によって連結して一体的に織編し、その表布１２と裏布１４の何れか一方にモノフィラメント弾性糸を編み込む場合には、弾性織編布帛２１の通気性が高まって蒸れ感を与えず、圧迫荷重が表布１２と裏布１４から分散して肌身に均等に作用し、クッション性があって着用痕が付き難く、肌身に優しい装身ベルト２０が得られる。
【００２５】
特に、コース方向Ｃにおいて左右隣合う一方の表糸１１ａが隣合う左側の表糸１１ｂと一体になった鎖編目１８ａと隣合う右側の表糸１１ｃと一体になった鎖編目１８ｂを、数コースおきに交互に繰り返し形成し、その鎖編目１８ａと鎖編目１８ｂが、ウエール方向Ｗにジグザグに続く鎖編目列１９を形成しており、そのジグザグに続く鎖編目列１９に囲まれた開口面積１ｍｍ2 以上の開口１７が表布１２に形成された弾性織編布帛２１（図３）では通気性が高く、又、弾性変形する裏布１４と表裏一体を成すので、その開口１７を有する構造からして表布１２が変形し易いとしても、装身ベルト２０が形崩れし易くなることはない。
【００２６】
このように、本発明によると、圧迫荷重が分散して肌身１０に伝わり、長時間着用し続けても蒸れや痛みを感じさせず、肌身に着用痕が残らず、皮膚気触れ等の傷害を誘発することなく、長期着用して形崩れを起こさず、軽量スリムで肌身に優しい圧力分散型装身ベルトが得られる。
【発明を実施するための最良の形態】
【００２７】
本発明における「織編布帛」は、織物と編物の双方を包含している。
織物では、装身ベルトの長さ方向に弾性糸が連続するように弾性糸を適用する。
弾性糸は、それを非弾性糸、例えばポリエステル繊維マルチフィラメント糸を弾性糸に巻き付けて被覆したカバードヤーンとして使用することが出来る。
経編布帛は、そのウエール方向Ｗを装身ベルトの長さ方向に向けて使用するとよい。
経編布帛は、その編目構造からして伸縮性を有するので、弾性糸と共に非弾性糸、例えばポリエステル繊維マルチフィラメント糸を併用しても、そのことによって弾性糸の伸縮性は格別損なわれない。
【００２８】
特に、経編布帛のコース方向Ｃである装身ベルトの幅方向には着用中に格別な張力（外力）は作用しない。従って、ウエール方向Ｗよりもコース方向Ｃに長く続くように編み込まれる糸条、例えば、コース方向Ｃにおいて隣り合う鎖編目列間をニットループを形成することなく連結するために編み込まれる挿入糸には非弾性糸を使用することが出来る。
【００２９】
しかし、このことは、弾性糸を挿入糸には使用せず、ニットループを形成する編糸にだけ使用しなければならないことを意味しない。
何故なら、弾性糸を挿入糸に使用するときは、それがウエール方向Ｗにジグザグに連続するので、伸縮コイルバネ（つる巻きバネ）のようにウエール方向Ｗに伸縮弾性変化するからである。
【００３０】
図３は、ダブルラッシェル経編機で編成された弾性織編布帛２１の具体例を示す。
弾性織編布帛２１は、表糸１１に成る表布１２と裏糸１３に成る裏布１４を、その表布１２と裏布１４を構成しない連結糸１５によって連結されて一体的に編成されており、表布１２と裏布１４の間に連結糸１５に隔てられた層厚０．３ｍｍ以上の空隙層１６が構成されている。
コース方向Ｃにおいて左右隣合う一方の表糸１１ａは、隣合う左側の表糸１１ｂと一体になった鎖編目１８ａと、隣合う右側の表糸１１ｃと一体になった鎖編目１８ｂを、数コースおきに交互に繰り返し形成している。
その鎖編目１８ａと鎖編目１８ｂは、ウエール方向Ｗにジグザグに続く鎖編目列１９を形成しており、表布１２には、ジグザグに続く鎖編目列１９に囲まれた開口面積１ｍｍ2 以上の開口１７が形成されている。
裏糸１３は、ウエール方向Ｗに続く鎖編目列１９を形成する地編糸１３ａと、編目（ニットループ）を形成することなくコース方向Ｃにおいて左右隣合う鎖編目列１９と鎖編目列１９の間を連結する挿入糸１３ｂによって構成されている。
裏布１４は、そのウエール方向Ｗに続く鎖編目列１９を形成する地編糸１３ａと、編目（ニットループ）を形成することなくコース方向Ｃにおいて左右隣合う鎖編目列１９と鎖編目列１９の間を連結する挿入糸１３ｂによって平織物状に編成されている。
【００３１】
弾性糸は、地編糸１３ａと挿入糸１３ｂに使用されている。
弾性糸には、単繊維繊度が２００ｄｔｅｘ以上、好ましくは５００ｄｔｅｘ以上であり、１０％伸長時の応力が好ましくは０．１５ｃＮ／ｄｔｅｘ〜０．６ｃＮ／ｄｔｅｘであり、織編過程で受ける張力（テンション）によっては格別伸縮せず、ナイロンやポリプロピレン繊維、ポリエステル繊維等の通常の合成繊維フイラメント糸を構成する単繊維繊度が１．１〜１０．０ｄｔｅｘの通常の合成繊維が織編過程で受ける張力によって伸縮する程度の伸び率を示す太手のモノフィラメント弾性糸を用い、織編過程で伸縮して織編が妨げられないようにする。
そのような弾性糸としては、ポリエーテル系エステルを芯成分ポリマーとし、その芯成分ポリマーよりも低融点の熱融着性ポリマーを鞘成分ポリマーとする熱融着性芯鞘複合ポリエーテル系エステル弾性糸条（例えば、東洋紡績株式会社製品名：ダイヤフローラ）を使用することが望ましい。
【００３２】
弾性織編布帛２１の１０％伸長時の応力（Ｆ）は、弾性糸の種類や繊度と織編密度を併用する非弾性糸条の種類や繊度によって、７０〜４００（Ｎ／５ｃｍ）に設定することが望ましい。
【００３３】
耐力帯２２には、従来の装身ベルトに使用されている皮革製ベルトや布製ベルトを適用することが出来る。
図１と図２は、袋物２７に使用されている装身ベルト２０を示す。
把持金具２２・２３には、従来袋物に使用されているものを使用することが出来る。
袋物２７と把持金具２２・２３の間は耐力帯２６で繋がれる。
【図面の簡単な説明】
【００３４】
【図１】本発明に係る装身ベルトの使用状態での斜視図である。
【図２】本発明に係る装身ベルトの使用状態での斜視図である。
【図３】本発明に係る装身ベルトに使用の弾性織編布帛の斜視図である。
【図４】従来の装身ベルトの断面図である。
【符号の説明】
【００３５】
１０：肌身
１１：表糸
１２：表布
１３：裏糸
１４：裏布
１５：連結糸
１６：空隙層
１７：開口
１８：鎖編目
１９：鎖編目列
２０：装身ベルト
２１：弾性織編布帛
２２：耐力帯
２３：把持金具
２４：把持金具
２５：挿通口
２６：耐力帯
２７：袋物
【図１】
2009018018.tif 000003
【図２】
2009018018.tif 000004
【図３】
2009018018.tif 000005
【図４】
2009018018.tif 000006
【手続補正書】
【提出日】平成19年9月13日(2007.9.13)
【手続補正１】
【補正対象書類名】図面
【補正対象項目名】全図
【補正方法】変更
【補正の内容】
【図１】
2009018018.tif 000007
【図２】
2009018018.tif 000008
【図３】
2009018018.tif 000009
【図４】
2009018018.tif 000010